(57)【特許請求の範囲】
【請求項１】
地中に埋設された仮設トイレ用の排水設備であって、
縦管と、前記縦管が略垂直に接合された排水横引管と、前記排水横引管と接続されたマンホールと、前記マンホールと下水道管とを接続する接続継手と、を有し、
前記マンホールは地上開口部に設置される蓋材と、前記排水横引管内の流動物を貯留させ且つ上下方向にスライド可能な貯水ゲートを内部に備え、
前記蓋材は、小径の開口部が形成された親蓋と、前記親蓋の小径の開口部に設置される子蓋と、を備え、
前記子蓋は、前記貯水ゲートの鉛直上にあり、
前記貯水ゲートの上端部に操作ハンドルが取り付けられ、
前記子蓋は、前記貯水ゲートの前記操作ハンドルが取り付けられている位置の鉛直上にあり、
前記操作ハンドルは前記貯水ゲートを開閉するための貯水ゲート開閉用治具の係合部に係合可能に構成され、
前記貯水ゲート開閉用治具は、水平方向に延びる前記係合部と、前記係合部から鉛直方向に沿って上方に延びる吊下ロッドと、前記吊下ロッドの上端から前記水平方向に延びる吊下ハンドルと、を備え、
前記水平方向における前記吊下ハンドルの長さは前記子蓋の直径より長く、
前記貯水ゲートが閉じた状態、かつ前記操作ハンドルが前記係合部に係合している状態において、前記吊下ハンドルは前記子蓋より上方にあることを特徴とする仮設トイレ用の排水設備。
【請求項２】
地中に埋設された仮設トイレ用の排水設備であって、
縦管と、前記縦管が略垂直に接合された排水横引管と、前記排水横引管と接続されたマンホールと、前記マンホールと下水道管とを接続する接続継手と、を有し、
前記マンホールは地上開口部に設置される蓋材と、前記排水横引管内の流動物を貯留させ且つ上下方向にスライド可能な貯水ゲートを内部に備え、
前記蓋材は、小径の開口部が形成された親蓋と、前記親蓋の小径の開口部に設置される子蓋と、を備え、
前記子蓋は、前記貯水ゲートの鉛直上にあり、
前記子蓋は、前記貯水ゲートの前記操作ハンドルが取り付けられている位置の鉛直上にあり、
前記貯水ゲートの上端部に、水平方向に延びる操作ハンドルが取り付けられ、
前記水平方向における前記操作ハンドルの長さは前記子蓋の直径より短いことを特徴とする仮設トイレ用の排水設備。
【発明の詳細な説明】
【技術分野】
【０００１】
本発明は、仮設トイレ用の排水設備に関する。
【背景技術】
【０００２】
近年、地震などの災害発生やイベントの開催等に備えて臨時的に仮設トイレを設置できるよう、学校や公園等の多数の人が集まれる場所に予め排水設備を埋設する計画が推進されている。
従来の仮設トイレの排水設備は、図５に示すように、地上に設置する便器Ｂの個数と設置位置に合わせて流動物を流下させる縦管２と、縦管２を略垂直に接合させ、流動物を収集して不図示の下水道管へ向けて排出させるよう地中に埋設された排水横引管３と、排水横引管３の一端が接続されるマンホール４内で排水横引管３を延在させた管路Ｒを端縁Ｐにて開閉し、排水横引管３内の流動物を貯留させ又は排出させる貯水ゲート５を設けて構成されている。貯水ゲート５は、排水横引管３の管路を開閉するゲート弁５ａと、ゲート弁５ａを操作する操作ロッド５ｂ及び操作ハンドル５ｃとを有し、手動で開閉するようになっている（例えば、下記特許文献１）。
上記の排水設備Ａは、仮設トイレ６が不要なときには、縦管２の上端開口部２ａを不図示の蓋材により堅く閉口させておき、仮設トイレ６を設置すべき臨時の場合に、前記蓋材を取り外して縦管２の上端開口部２ａを開口させ、地上Ｇに仮設トイレ６を設置できるようになっている。
【０００３】
そして、仮設トイレ６を設置して上記の排水設備Ａを使用する場合、貯水ゲート５は、不図示の貯水タンク等に溜められた水を効率良く使用するために通常閉弁しておき、所定量の流動物が排水横引管３内に貯留されるタイミングで、一日に１回〜数回開弁させ、流動物を放出するようになっている。
【先行技術文献】
【特許文献】
【０００４】
【特許文献１】特許第４１０４１９７号公報
【発明の概要】
【発明が解決しようとする課題】
【０００５】
ところで、上記排水設備Ａは、排水横引管３内に貯留された流動物を放出する場合、荷重の大きいマンホール４の蓋材７を開け、マンホール４内に手を入れ又は作業者がマンホール４内に直接入り込んで貯水ゲート５の操作ハンドル５ｃを操作しなければならない。そして、この作業は、通常、仮設トイレを管理する市職員や学校職員等の一般ユーザが自ら行うようになっている。
しかし、マンホール４における排水処理に不慣れな専門業者以外の者が、荷重の大きいマンホール４の蓋材７を専用冶具で開口し、開口部近辺にかがみ込んで、又は、マンホール４内に入って一定時間同じ姿勢で貯水ゲート５を開口させておくのは容易ではなく、ユーザに敬遠されるという問題があった。
また、貯水ゲート５を開口させた状態で保持している間、排水横引管３からの汚臭を吸い込みやすいため、作業をするのが苦痛であるという問題があった。
そこで、本発明は、上記課題に鑑み、マンホール内に設けられた貯水ゲートを容易に操作することのできる貯水ゲートの開閉冶具を提供することを課題とする。
【課題を解決するための手段】
【０００６】
本発明は、地中に埋設された仮設トイレ用の排水設備であって、縦管と、前記縦管が略垂直に接合された排水横引管と、前記排水横引管と接続されたマンホールと、前記マンホールと下水道管とを接続する接続継手と、を有し、前記マンホールは地上開口部に設置される蓋材と、前記排水横引管内の流動物を貯留させ且つ上下方向にスライド可能な貯水ゲートを内部に備え、前記蓋材は、小径の開口部が形成された親蓋と、前記親蓋の小径の開口部に設置される子蓋と、を備え、前記子蓋は、前記貯水ゲートの鉛直上にあり、前記貯水ゲートの上端部に操作ハンドルが取り付けられ、前記子蓋は、前記貯水ゲートの前記操作ハンドルが取り付けられている位置の鉛直上にあり、前記操作ハンドルは前記貯水ゲートを開閉するための貯水ゲート開閉用治具の係合部に係合可能に構成され、前記貯水ゲート開閉用治具は、水平方向に延びる前記係合部と、前記係合部から鉛直方向に沿って上方に延びる吊下ロッドと、前記吊下ロッドの上端から前記水平方向に延びる吊下ハンドルと、を備え、前記水平方向における前記吊下ハンドルの長さは前記子蓋の直径より長く、前記貯水ゲートが閉じた状態、かつ前記操作ハンドルが前記係合部に係合している状態において、前記吊下ハンドルは前記子蓋より上方にあることを特徴とする。
【０００７】
また、本発明は、地中に埋設された仮設トイレ用の排水設備であって、縦管と、前記縦管が略垂直に接合された排水横引管と、前記排水横引管と接続されたマンホールと、前記マンホールと下水道管とを接続する接続継手と、を有し、前記マンホールは地上開口部に設置される蓋材と、前記排水横引管内の流動物を貯留させ且つ上下方向にスライド可能な貯水ゲートを内部に備え、前記蓋材は、小径の開口部が形成された親蓋と、前記親蓋の小径の開口部に設置される子蓋と、を備え、前記子蓋は、前記貯水ゲートの鉛直上にあり、前記子蓋は、前記貯水ゲートの前記操作ハンドルが取り付けられている位置の鉛直上にあり、前記貯水ゲートの上端部に、水平方向に延びる操作ハンドルが取り付けられ、前記水平方向における前記操作ハンドルの長さは前記子蓋の直径より短いことを特徴とする。
【発明の効果】
【０００８】
本発明によれば、貯水ゲートの操作ハンドルに吊下部材の係合部を係合させて、吊下部材により、マンホールの開口部から離間した地上から貯水ゲートを操作することができる。したがって、作業者が楽な姿勢で周囲の状況を確認しながら、容易に貯水ゲートを開閉することができという効果を奏する。
また、作業者が排水横引管から離れて作業できることにより、排水横引管からの汚臭を直接吸い込むことを回避することが出来るという効果を奏する。
【図面の簡単な説明】
【０００９】
【図１】は、本発明の一実施形態として示した貯水ゲート開閉用冶具と貯水ゲート開閉用冶具を適用するマンホール内を表した側断面図である。
【図２】は、本発明の第一実施形態として示した貯水ゲート開閉用冶具を適用する貯水ゲートを示した図であって、（ａ）は貯水ゲートの正面図、（ｂ）は貯水ゲートの側面図、（ｃ）は貯水ゲートの背面図である。
【図３】は、（ａ），（ｂ）は、本発明の第一実施形態として示した貯水ゲート開閉用冶具の使用方法を示した説明図である。
【図４】は、本発明の一実施形態として示した貯水ゲート開閉用冶具を示した図であり、（ａ）は吊下部材の側面図、（ｂ）は吊下部材の正面図、（ｃ）は固定部材を示した平面図である。
【図５】は、本発明の一実施形態として示した貯水ゲート開閉用冶具が適用される仮設トイレの排水設備を示した説明図である。
【発明を実施するための形態】
【００１０】
以下、本発明に係る貯水ゲート開閉用冶具の実施形態について、図１〜図５を参照して説明する。
図１は、本発明の貯水ゲート開閉用冶具１の使用対象となる貯水ゲート５と、この貯水ゲート５を内部に備えたマンホール４の断面図であり、図５に示す排水設備Ａと同様の排水横引管３が接続された状態で地中に埋設されるものである。
【００１１】
図１に示すように、マンホール４は、地中に載置する基台８と、基台８上に筒状に立ち上がって形成された周壁部９と、蓋材１０とを備えている。
マンホール４内の下半部には、排水横引管３が接続されるマンホール継手１１がマンホール４の周壁部９を貫通するように取り付けられ、排水横引管３の管路Ｒをマンホール４内に延在させている。マンホール４には、更にマンホール継手１１に対向する位置であってマンホール継手１１よりも下方に不図示の下水道管に接続される配管の接続継手１２が備えられている。
【００１２】
蓋材１０は、マンホール４の開口上端部１４の全体を覆うように被冠される親蓋１０Ａと、親蓋１０Ａの板面内に小径に形成された子蓋１０Ｂとを備えている。
排水横引管３は、端部３ｔが、マンホール継手１１におけるマンホール継手１１に挿入され、不図示のパッキンによって、マンホール継手１１と水密に接続されている。
【００１３】
マンホール継手１１のマンホール４内に位置する端部１１ｔは、マンホール４の子蓋１０Ｂが被冠される領域の略中心を通る鉛直線上まで延びており、その端面１１ｐに貯水ゲート５が当接するよう配置されている。
【００１４】
図２（ａ）は、貯水ゲート５を図１に示す矢印Ｌ１方向から視た正面図、同図（ｂ）は、貯水ゲート５の側面図、同図（ｃ）は、貯水ゲート５の背面図である。貯水ゲート５は、一対のステンレス製の山形鋼を突き合わせて構成された枠体２０と、この枠体２０に対して上下方向へのスライド可能に支持された平板状のゲート弁２１とを備えている。
【００１５】
図２（ａ）〜（ｃ）に示すように、枠体２０は、下端部が下方に突出するように円弧状に湾曲して左右の各側部がそれぞれ鉛直方向に延びた正面視Ｕ字状の一対の縦枠材２０ａ，２０ａと、これら縦枠材２０ａ，２０ａの左右の各側部の上端部間に水平に架設された一対の水平枠材２０ｂ，２０ｂとを有している。山形鋼により形成された縦枠材２０ａ，２０ａは、これらを突き合わせることにより溝部が形成されるように組み立てられている。一対の縦枠材２０ａ，２０ａは、これらの間に形成された溝部内の全周にわたって帯板状のゴム材２１ｃを介在させた状態で、ボルト及びナットによって構成された複数の締結具２１ｄによって一体的に固定されている。
【００１６】
背面側に位置する一方の縦枠材２０ａには、下端部の円弧状に沿った部分と同心状の円筒形状に形成された嵌合部２４が取り付けられており、この嵌合部２４内に、マンホール４の周面に取り付けられた図１に示すマンホール継手１１の端部１１ｔが接続されている。
【００１７】
板面が立ち上がるように配置された平板状のゲート弁２１は、外周縁部が、枠体２０に当接する形状に構成されており、その下端部は、各縦枠材２０ａに沿って下方に円弧状に突出している。ゲート弁２１は、一対の縦枠材２０ａ，２０ａの間に上下方向へのスライド可能に挿入されている。ゲート弁２１の上端部２１ｔは、各水平枠材２０ｂの上端面よりも上方に突出する寸法に形成されている。
【００１８】
ゲート弁２１の上部には、略ベース型形状の開口部２２が形成されている。この開口部２２の下部は、嵌合部２４の内孔上部と重なっており、排水横引管３の管路Ｒ内の流動物をオーバーフローさせることができるようになっている。ゲート弁２１における上下方向中程の下部には、左右一対のストッパー２５，２５が設けられている。各ストッパー２５は、ゲート弁２１に螺入されたボルトによってそれぞれ構成されており、ゲート弁２１が上方にスライドした際に、水平枠材２０ｂに当接して、ゲート弁２１が枠体２０から抜け出ることのないように、スライド規制されるようになっている。
【００１９】
ゲート弁２１の上端部には、操作ロッド２３の下端部が鉛直方向に取り付けられている。操作ロッド２３は、図３（ａ），（ｂ）に示すように、マンホール４の子蓋１０Ｂの中心を通る鉛直な線上に配置されている。操作ロッド２３の上端部は、水平に取り付けられた操作ハンドル２６を備えており、平面視でマンホール４に被冠する蓋材１０の子蓋１０Ｂにより形成される開口部１５内に位置するように設けられている。
【００２０】
次に、貯水ゲート５を開閉するための貯水ゲート開閉用冶具１について説明する。
図３（ｂ），図４（ａ）〜（ｃ）に示すように、貯水ゲート開閉用冶具１は、吊下部材３０と固定部材３１とを備えている。
吊下部材３０は、Ｔ字状に組まれた吊下ハンドル３２及び吊下ロッド３３と、吊下ロッド３３の先端（他端側）に設けられ貯水ゲート５の操作ハンドルに係合させる係合部３４とを備えている。
【００２１】
吊下ハンドル３２は、吊下ロッド３３の直交するように吊下ロッド３３の一端側に設けられた棒状部であり、作業者が地上から貯水ゲート５を操作する際に作業者が把持する部分である。
吊下ロッド３３は、長尺の円筒又は円柱状の部材により形成されたものであり、図３（ａ）に示すマンホール４の開口部１４の上方から貯水ゲート５の操作ハンドル２６に到達する寸法よりも長尺に形成され、作業者がマンホール４の開口部１４から離間した地上から貯水ゲート５を上下動させるにあたり、貯水ゲート５を吊下するものである。
吊下ロッド３３の長さ方向中間部には、所定の間隔をおいて複数の貫通孔３５，３５，…が水平方向に形成されている。
貫通孔３５は、係合部３４に操作ハンドル２６を係合させて引き上げた所定の位置でいずれかの貫通孔３５が図３（ｂ）に示す小径の開口部１５の直上に位置するように設定されている。
【００２２】
係合部３４は、金属又は樹脂等の硬質の板部材を折曲して図４（ａ）に示すように略Ｃ字状に形成されたものである。具体的には、吊下ロッド３３の先端に取り付けられる天壁部３４ａと、天壁部３４ａの一端縁から垂直に延びた側壁部３４ｂと、側壁部３４ｂの下端縁から略直角かつ天壁部３４ａに対向する方向に延びた底壁部３４ｃと、天壁部３４ａ及び底壁部３４ｃの端部が互いに対向する方向に折曲して設けられた上側爪部３４ｄ及び下側爪部３４ｅとを備えている。
【００２３】
係合部３４の側壁部３４ｂ及び底壁部３４ｃは、図１に示す矢印Ｌ１方向に視て水平方向中央部が略矩形に切り欠かれて下方に開口し、側壁部３４ｂの下半部及び底壁部３４ｃが二股に分かれるように形成されている。
係合部３４が上記のように形成されていることにより、上側爪部３４ｄと下側爪部３４ｅ，３４ｅとの間に操作ハンドル２６と操作ロッド２３との交叉部を挿通させることができるようになっている。
【００２４】
固定部材３１は、吊下部材３０の貫通孔３５に挿通される挿通棒３７と、挿通棒３７の一端側に固定された把持部３８とを備えている。
挿通棒３７は、図３（ｂ）に示す小径の開口部１５の径寸法よりも長くなるように形成されており、挿通棒３７を吊下ロッド３３の貫通孔３５に挿通させた際に開口部１５に架設できるようになっている。
【００２５】
次に、貯水ゲート開閉用冶具１の使用方法について説明する。
まず、貯水ゲート５は通常排水横引管３の管路Ｒを閉じているので、作業者は、排水横引管３の貯水率が所定の割合に達するタイミングで図５に示す仮設トイレ６用の排水設備Ａの貯水ゲート５を開弁する。貯水ゲート５を開弁するには、まず、図３（ａ）に示すマンホール４の蓋材１０の子蓋１０Ｂを専用の冶具（不図示）で開口し、開口部１５から吊下部材３０の係合部３４を挿入させる。
【００２６】
係合部３４が貯水ゲート５の操作ハンドル２６の高さ位置に達したら、図１，図３（ａ）に示すように係合部３４の側壁部３４ｂと上下側爪部３４ｄ，３４ｅとの間に操作ハンドル２６を位置させ、引き上げ可能状態とする。
そして、吊下部材３０を引き上げると、操作ハンドル２６が係合部３４の天壁部３４ａ，側壁部３４ｂ及び上側爪部３４ｄに係合するので、更に吊下部材３０を引き上げると、図３（ｂ）に示すように貯水ゲート５が上方に移動し、図１に示す排水横引管３の管路Ｒが開口する。
【００２７】
吊下部材３０を更に引き上げると、所定の位置で貯水ゲート５のストッパー２５，２５が水平枠材２０ｂに当接し、水平枠材２０ｂよりも上方への移動が規制される。したがって、その位置でマンホール４の小径の開口部１５の直近の貫通孔３５に固定部材３１の挿通棒３７を挿入するとともに開口部１５に架設させる。以上の作業により、吊下部材３０が貯水ゲート５を開弁させた状態で固定される。
【００２８】
そして、排水横引管３に貯留された流動物の下水道管への放出が完了したら、吊下部材３０の吊下ハンドル３２を保持した状態で固定部材３１を貫通孔３５から引き抜き、吊下部材３０の固定を解除する。そして、吊下部材３０を下方へ静かに移動させ、貯水ゲート５を閉じ排水横引管３の管路Ｒを再び閉口させる。
【００２９】
以上のように、本発明の貯水ゲート開閉用冶具１によれば、貯水ゲート５の操作ハンドル２６に吊下部材３０の係合部３４を係合させて、吊下部材３０によりマンホール４の開口部１５から離間した地上から貯水ゲート５を操作することができるため、作業者が楽な姿勢で、かつ、周囲の状況，安全等を確認しながら、容易に貯水ゲート５を開閉することができるという効果が得られる。
また、貯水ゲート５の開閉に貯水ゲート開閉用冶具１を用いることにより、作業者が排水横引管３から離間して地上から貯水ゲート５を操作することができるため、排水横引管３からの汚臭を直接吸い込むことを回避することが出来るという効果が得られる。
【００３０】
また、吊下部材３０により貯水ゲート５を引き上げた状態で、固定部材３１を吊下部材３０の貫通孔３５に挿通させ、固定部材３１を子蓋１０Ｂにより開口されたマンホールの小径の開口部１５に架設して保持することが出来る。したがって、作業者が貯水ゲート５を引き上げ、流動物の放出完了まで保持する作業から開放されるため、貯水ゲート５の開弁作業を簡便に行うことができるという効果が得られる。
【００３１】
また、固定部材３１を、小径の開口部１５に架設できるようにしているため、固定部材３１をコンパクトに形成し、かつ、吊下部材３０の貫通孔３５への挿通を簡便にすることができるという効果が得られる。
【００３２】
なお、上記の実施形態においては、貯水ゲート開閉用冶具１として吊下部材３０及び固定部材３１を備えた構成を例示したが、貯水ゲート開閉用冶具１は、固定部材３１を有しない構成であってもよい。貯水ゲート開閉用冶具１が固定部材３１を有していなくても、吊下部材３０により、排水横引管３からから離間した地上から容易に貯水ゲート５を操作し、排水横引管３内の流動物を楽な姿勢で簡便に放出することができる。
【００３３】
また、固定部材３１は、挿通棒３７が開口部１５に架設されるようになっていればよいが、挿通棒３７及び把持部３８の双方が開口部１５に架設されるようになっているとなおよい。挿通棒３７及び把持部３８の双方が開口部１５に架設されるようになっていると、固定部材３１の貫通孔３５における架設がより確実となるという効果が得られる。
【符号の説明】
【００３４】
１    貯水ゲート開閉用冶具
３    排水横引管
４    マンホール
５    貯水ゲート
２１  ゲート弁
２３  操作ロッド
２６  操作ハンドル
６    仮設トイレ
３０  吊下部材
３１  固定部材
３２  吊下ハンドル
３３  吊下ロッド
３４  係合部
３５  貫通孔
３７  挿通棒
３８  把持部
Ｂ    便器
Ｒ    管路
【図１】
0006527538.tif 000002
【図２】
0006527538.tif 000003
【図３】
0006527538.tif 000004
【図４】
0006527538.tif 000005
【図５】
0006527538.tif 000006